(57)【要約】【課題】  無線通信が可能な映像表示装置において、外部装置から入力された映像信号に起因して無線通信に生じる障害を低減させた映像表示装置を提供すること。【解決手段】  第１の通信周波数帯域と第２の通信周波数帯域で外部装置と無線通信を行うことが可能な通信手段を用いて外部装置と通信可能な映像表示装置であって、映像信号が入力される映像入力手段と、前記第１の通信周波数帯域に前記映像信号に関連するノイズの周波数が含まれる場合に、前記外部装置に前記第１の通信周波数帯域を前記ノイズの周波数が含まれない前記第２の通信周波数帯域に変更させるための変更処理を行う制御手段と、を有する。【選択図】  図１
2019153825.tif 000002
【特許請求の範囲】
【請求項１】
第１の通信周波数帯域と第２の通信周波数帯域で外部装置と無線通信を行うことが可能な通信手段を用いて外部装置と通信可能な映像表示装置であって、
映像信号が入力される映像入力手段と、
前記第１の通信周波数帯域に前記映像信号に関連するノイズの周波数が含まれる場合に、
前記外部装置に前記第１の通信周波数帯域を前記ノイズの周波数が含まれない前記第２の通信周波数帯域に変更させるための変更処理を行う制御手段と、を有することを特徴とする映像表示装置。
【請求項２】
前記制御手段は、前記変更処理において、前記通信手段に前記第１の通信周波数帯域の電波を出力させることにより、前記外部装置に前記第１の通信周波数帯域を前記第２の通信周波数帯域に変更させることを特徴とする請求項１に記載の映像表示装置。
【請求項３】
前記制御手段は、前記変更処理において、前記通信手段に前記第１の通信周波数帯域の電波を出力させたあと、前記外部装置との通信を確立させる際、前記外部装置に前記第１の通信周波数帯域を前記第２の通信周波数帯域に変更させることを特徴とする請求項１に記載の映像表示装置。
【請求項４】
前記制御手段は、前記変更処理として、前記外部装置に前記第１の通信周波数帯域で使用される第１の通信チャネルを前記第２の通信周波数帯域で使用される第２の通信チャネルに変更させることを特徴とする請求項１乃至３の何れか一項に記載の映像表示装置。
【請求項５】
前記制御手段は、前記映像信号のフォーマットに関する情報に基づいて、前記第１の通信周波数帯域に前記映像信号に関連するノイズの周波数が含まれるか否かを判定することを特徴とする請求項１乃至４の何れか一項に記載の映像表示装置。
【請求項６】
前記映像信号のフォーマットに関する情報は前記映像信号のクロック周波数を含み、前記ノイズの周波数は前記映像信号のクロック周波数の整数倍であることを特徴とする請求項５に記載の映像表示装置。
【請求項７】
前記制御手段は、前記通信手段が、前記外部装置とインフラストラクチャーモードで無線通信を行っている場合、前記変更処理を行うことを特徴とする請求項１乃至６の何れか一項に記載の映像表示装置。
【請求項８】
前記映像入力部には、複数の映像信号の同時入力が可能であり、
前記制御部は、前記第１の通信周波数帯域に前記映像信号に関連するノイズの周波数が含まれる映像信号の入力数が所定数以上であるときに前記変更処理を行うことを特徴とする請求項１乃至７のいずれか一項に記載の映像表示装置。
【請求項９】
前記通信手段を有することを特徴とする請求項１乃至８のいずれか一項に記載の映像表示装置。
【請求項１０】
前記通信手段は前記映像表示装置に着脱可能であることを特徴とする請求項１乃至８のいずれか一項に記載の映像表示装置。
【請求項１１】
前記映像信号に基づいて生成された駆動信号により駆動され、光源からの光を変調する光変調手段と、
該光変調手段により変調された光を被投射面に投射する光学系と、を有する
ことを特徴とする請求項１乃至９のいずれか一項に記載の映像投射装置。
【請求項１２】
外部から入力される映像信号を受信して該映像信号に基づいて映像を表示する装置であり、外部装置との無線通信が可能な映像表示装置のコンピュータに、
前記無線通信の第１の通信周波数帯域に前記映像信号に関連するノイズの周波数が含まれるか否かを判定する処理と、
前記第１の通信周波数帯域に前記ノイズの周波数が含まれると判定した場合に、前記外部装置に前記第１の通信周波数帯域を前記映像信号に関連するノイズの周波数が含まれない第２の通信周波数帯域に変更させるための変更処理と、
を行わせることを特徴とする処理プログラム。
【発明の詳細な説明】
【技術分野】
【０００１】
本発明は、無線通信機能を有する映像表示装置に関する。
【背景技術】
【０００２】
映像表示装置には、無線通信の機能を搭載し、外部からの映像信号を受信可能なものがある。一方、表示する映像の高精細化や高解像度化に伴って、映像信号に起因する装置内ノイズが装置の動作に影響するケースが増加している。しかも、装置内ノイズには、ノイズ源の周波数を有するノイズだけでなく、その周波数の整数倍の高調波ノイズも含まれる。特にこの高調波ノイズが無線通信で使用されている通信周波数帯域に含まれると、無線通信が妨害され、無線通信による接続ができなくなったり通信速度が低下したりする等の通信障害が生じるおそれがある。
【０００３】
特許文献１には、装置内ノイズを低減するために、装置内において入力された映像信号を該映像信号のドットクロック周波数とは異なるクロック周波数で伝送する映像表示装置が開示されている。
【先行技術文献】
【特許文献】
【０００４】
【特許文献１】特開２０１３−１０９２７２号公報
【発明の概要】
【発明が解決しようとする課題】
【０００５】
しかしながら、特許文献１にて開示された方法では、様々な外部装置が送信する様々なフォーマットの映像信号に対して対応することが困難である。
【０００６】
本発明は、外部装置から入力された映像信号に起因して無線通信に生じる障害を低減させることができるようにした映像表示装置を提供する。
【課題を解決するための手段】
【０００７】
本発明の一側面としての映像表示装置は、第１の通信周波数帯域と第２の通信周波数帯域で外部装置と無線通信を行うことが可能な通信手段を用いて外部装置と通信可能な映像表示装置であって、映像信号が入力される映像入力手段と、前記第１の通信周波数帯域に前記映像信号に関連するノイズの周波数が含まれる場合に、前記外部装置に前記第１の通信周波数帯域を前記ノイズの周波数が含まれない前記第２の通信周波数帯域に変更させるための変更処理を行う制御手段と、を有することを特徴とする。
【０００８】
なお、上記変更処理を映像表示装置のコンピュータに実行させる処理プログラムも、本発明の他の一側面を構成する。
【発明の効果】
【０００９】
本発明によれば、無線通信可能な映像表示装置において、外部装置から入力された映像信号に起因して無線通信に生じる障害を低減させることができる。
【図面の簡単な説明】
【００１０】
【図１】本発明の実施例１であるプロジェクタの構成を示すブロック図。
【図２】無線通信規格のＩＥＥＥ８０１．１１ｎでのチャネルと妨害波を示す図。
【図３】実施例１のプロジェクタの動作を示すフローチャート。
【図４】本発明の実施例２であるプロジェクタの構成を示すブロック図。
【図５】実施例２のプロジェクタの動作を示すフローチャート。
【発明を実施するための形態】
【００１１】
以下、本発明の実施例について図面を参照しながら説明する。
【実施例１】
【００１２】
図１は、本発明の実施例１である映像処理装置としてのプロジェクタ（映像投射装置）１の構成を示す。本実施例のプロジェクタ１は、無線通信（例えば通信規格ＩＥＥＥ８０１．１１ｎ）を利用して外部機器との無線通信を行う無線通信部を内蔵している。
【００１３】
２はＰＣ等の映像出力装置であり、様々な映像信号（映像データ）を出力する映像出力ＩＣ３を搭載している。映像出力ＩＣ３は、例えばＨＤＭＩ（登録商標）ケーブル４を介してドットクロック信号を含む映像信号をプロジェクタ１に伝送することができる。プロジェクタ１に伝送（入力）される映像信号としては、デジタル信号のＨＤＭＩやＤＶＩ、アナログ信号等、様々なものがある。
【００１４】
５は映像入力部としての入力制御（Ｉ／Ｆ）ＩＣであり、映像出力装置２から入力コネクタ６を通して入力された映像信号を画像処理ＩＣ７に送る。また、８は記録部（ＲＯＭ）であり、様々な映像信号の特性に対応するドットクロック信号の周波数（以下、ドットクロック周波数という）のデータが記録されている。ここにいう映像信号の特性とは、解像度、水平同期信号周波数、垂直同期信号周波数およびビット深度（８ｂｉｔ／１０ｂｉｔ等）を含む。記録部８は制御部としてのＣＰＵ９に接続されている。
【００１５】
ＣＰＵ９は、入力制御ＩＣ５に入力された映像信号の特性を検出する。そして、記録部８に記録された様々な映像信号の特性に対応（関連）するドットクロック周波数のうち検出した特性に対応するドットクロック周波数のデータを読み出す。ＣＰＵ９は、このドットクロック周波数を後述するｃｈ（通信チャネル）変更処理に用いる。
【００１６】
１０は無線通信部としての無線通信ユニットである。無線通信ユニット１０は、インフラストラクチャーモード（ｉｎｆｒａｓｔｒｕｃｔｕｒｅ  ｍｏｄｅ）で動作可能であり、ネットワークを統括する外部のアクセスポイント１２を介して外部のＰＣ等と通信することが可能である。また、無線通信ユニット１０は、アクセスポイントの機能を持つアクセスポイントモードでも動作可能である。アクセスポイントモードで動作している場合、無線通信ユニット１０が無線通信で使用する周波数帯域（以下、使用周波数帯域という）はＣＰＵ９が設定（選択）することができる。さらに、インフラストラクチャーモードとアクセスポイントモードの両方のモードを個別に動作可能な様に複数のＭＡＣアドレス（Ｍｅｄｉａ  Ａｃｃｅｓｓ  Ｃｏｎｔｒｏｌ  ａｄｄｒｅｓｓ）を持っている。
【００１７】
本実施例では、無線通信ユニット１０はプロジェクタ１に内蔵されているが、プロジェクタ１に周辺機器を接続するための汎用コネクタ（不図示）、例えば、ＵＳＢ（Ｕｎｉｖｅｒｓａｌ  Ｓｅｒｉａｌ  Ｂｕｓ）を設け、そのコネクタに着脱可能な無線通信ユニット１０を用いてもよい。
【００１８】
１１はプロジェクタ１を外部からコントロールするコントロールＰＣであり、アクセスポイント（外部装置）１２と接続されている。このアクセスポイント１２はインフラストラクチャーモードで無線通信（例えば通信規格ＩＥＥＥ８０１．１１ｎ）が可能である。この無線通信により、コントロールＰＣ１１からの制御信号をプロジェクタ１で送信したり、プロジェクタ１からの情報信号を受信したりすることができる。
【００１９】
本実施例においては、映像出力装置２とコントロールＰＣは別にある例を示したが、映像出力装置２とコントロールＰＣ１１は同一であってもよい。
【００２０】
１３は高圧水銀ランプ等の光源であり、バラストユニット１９は外部電源２０から電源供給を受けて光源１３を点灯させるための電圧を生成する。光源１３から発せられた白色光はプリズムユニット１４に入射する。プリズムユニット１４は、光源１３からの白色光を赤光、青光および緑光に分解し、それぞれを赤映像パネル１５、青映像パネル１６および緑映像パネル１７に導く。各映像パネルは、液晶表示素子やＤＭＤ（Ｄｉｇｉｔａｌ  Ｍｉｒｒｏｒ  Ｄｅｖｉｃｅ）等の光変調素子により構成されている。
【００２１】
画像処理ＩＣ７は、入力信号制御ＩＣから入力された映像信号を、赤、青および緑映像パネル１５〜１７に適正な解像度とフォーマットを有する映像信号に変換してパネルドライバ２１に送る。パネルドライバ２１は、変換後の映像信号に応じて赤、青および緑映像パネル１５〜１７を駆動する駆動信号を生成する。この駆動信号により、赤映像パネル１５、青映像パネル１６および緑映像パネル１７に入射した赤光、青光および緑光がそれぞれの色の画像を形成するように変調される。
【００２２】
赤映像パネル１５、青映像パネル１６および緑映像パネル１７から出射（反射）した変調光としての赤光、青光および緑光は、プリズムユニット１４により合成されて投射レンズ１８に導かれる。投射レンズ１８（光学系）は、合成された赤光、青光および緑光（すなわち、フルカラー画像）を不図示のスクリーン等の被投射面に投射する。
【００２３】
次に、本実施例においてＣＰＵ９が行うｃｈ変更処理の概要について説明する。プロジェクタ１に対して映像出力装置２からＨＤＭＩケーブル４を介して高速のドットクロック信号を含む映像信号が伝送される。この映像信号が、例えば１９２０×１０８０画素の解像度でインターレースの映像信号の場合は、そのドットクロック周波数は７４．２５ＭＨｚである。無線通信ユニット１０は、図２に示すように、無線通信（ＩＥＥＥ８０１．１１ｎ）の全通信可能帯域（所定周波数帯域）として、２４０１ＭＨｚ（２．４０１ＧＨｚ）から２４９５ＭＨｚ（２．４９５ＧＨｚ）までを使用する。そして、全帯域の中に、それぞれ２２ＭＨｚ帯域を有する複数のチャネルである１ｃｈから１４ｃｈを設けている。
【００２４】
ドットクロック周波数７４．２５ＭＨｚの逓倍波の１つである３３倍波の周波数は２４５０ＭＨｚ（２．４５ＧＨｚ）であり、この周波数は９ｃｈ（２４４１〜２４６３ＭＨｚ）の中心付近に重なる。また、各ｃｈの帯域は、例えば１ｃｈでは２４１０〜２４２３ＭＨｚ、２ｃｈでは２０４６〜２４２８ＭＨｚというように、隣り合うｃｈの帯域同士が部分的に重複している。このため、３３倍波の２４５０ＭＨｚが重なるｃｈには、９ｃｈ以外に、８ｃｈ（２４３６〜２４５８ＭＨｚ）、７ｃｈ（２４３１〜２４５３ＭＨｚ）、１０ｃｈ（２４４６〜２４７３ＭＨｚ）がある。これら７〜１０ｃｈ（第１の通信周波数帯域）は、３３倍波である妨害波（不要輻射）の影響を受ける。
【００２５】
ここで、プロジェクタ１がアクセスポイント１２を介してコントロールＰＣ１１と通信する場合、プロジェクタ１とアクセスポイント１２はインフラストラクチャーモードにより接続され通信する。インフラストラクチャーモードの場合、接続する際、アクセスポイント１２が周囲の電波状況を確認し、空いているｃｈを無線通信ユニット１０に通知することにより、以降そのｃｈで無線通信が行われる。
【００２６】
このため、ドットクロックが７４．２５ＭＨｚの映像信号が入力されている状態で、無線通信のｃｈに７〜１０ｃｈ（第１の通信周波数帯域）が選択されると、妨害波の影響を受けることがある。この妨害波の影響により無線通信による接続ができなくなったり通信速度が低下したりする等の通信障害が生じるおそれがある。
【００２７】
そこで、本実施例では、ＣＰＵ９は、入力された映像信号のドットクロック信号の逓倍波の周波数を取得する。そして、無線通信ユニット１０のアクセスポイント機能を起動させ、ドットクロック信号の逓倍波の周波数を含むｃｈによる無線通信を行うようにし、電波を放出させる。さらに、無線通信ユニット１０にアクセスポイント１２との接続を一旦切断させ、再度アクセスポイント１２へ接続要求を行わせる。
【００２８】
これにより、再度接続する際、アクセスポイント１２に無線通信ユニット１０から放出されている周波数帯域を含むｃｈを除いたｃｈを選択させることが可能となり、妨害波である上記逓倍波の影響を受けない無線通信を行うことができる。
【００２９】
具体的には、ＣＰＵ９は、ドットクロック周波数が７４．２５ＭＨｚである場合には、無線通信ユニット１０のアクセスポイント機能により９ｃｈの周波数帯域の電波を放出させる。そして、プロジェクタ１とアクセスポイント１２の接続の際、アクセスポイント１２に妨害波の周波数を含まない１〜６ｃｈおよび１１〜１４ｃｈのうち１つのｃｈ（第２の通信周波数帯域）を選択させる。
【００３０】
次に、図３のフローチャートを用いて、ＣＰＵ９によるｃｈ変更処理の具体的な流れについて説明する。ＣＰＵ９はこのｃｈ変更処理を、コンピュータプログラムとしての処理プログラムに従って実行する。図および以下の説明において、「Ｓ」はステップを示す。
【００３１】
Ｓ３０１において、ＣＰＵ９は、無線通信ユニット１０がインフラストラクチャーモードで通信しているか否かを確認する。インフラストラクチャーモードで通信を行っている場合Ｓ３０２に進む。インフラストラクチャーモードで通信を行っていない場合、引き続きＳ３０１において、インフラストラクチャーモードで通信を行っているか否かを確認する。
【００３２】
Ｓ３０２において、ＣＰＵ９は、映像出力装置２から入力される映像信号の特性が変化したか否かを確認する。特性が変化した場合Ｓ３０３に進む。特性が変化していない場合、引き続きＳ３０２において、入力される映像信号の特性が変化したか否かを確認する。ここで、本実施例においては、映像信号の入力が無い無信号の状態から映像信号が入力された状態に変化した際にも、特性が変化したと判別する。
【００３３】
Ｓ３０３において、ＣＰＵ９は、入力制御ＩＣ５に入力される映像信号の特性を検出する。そして、記録部８に記録された複数の映像信号の特性に対応するドットクロック周波数のうち検出した特性に対応するドットクロック周波数を該記録部８から取得する。なお、ＣＰＵ９は、ドットクロック周波数を入力制御ＩＣ５から直接取得してもよい。また、ドットクロック周波数を、解像度、水平同期信号周波数、垂直同期信号周波数およびビット深度などから取得してもよい。
【００３４】
次にＳ３０４において、ＣＰＵ９は、取得したドットクロック周波数の逓倍周波数（以下、妨害周波数という）を算出し、該妨害周波数が上記１〜１４ｃｈのいずれかに含まれるか否かを判定する。つまり、言い換えれば、入力映像信号のドットクロック周波数に応じた妨害波が無線通信を妨害するｃｈ（以下、被妨害ｃｈという）を特定する。ＣＰＵ９は、被妨害ｃｈがない場合はＳ３０７に進み、被妨害ｃｈがある場合はＳ３０５に進む。
【００３５】
Ｓ３０５において、ＣＰＵ９は、妨害周波数が、被妨害ｃｈの中で被妨害ｃｈの中心周波数に最も近い被妨害ｃｈを導出し、導出したｃｈで無線通信ユニットのアクセスポイント機能を起動させ、導出したｃｈの周波数帯域の電波を放出させる。そして、Ｓ３０６に進む。
【００３６】
Ｓ３０６において、ＣＰＵ９は、無線通信ユニット１０に、現在、アクセスポイント１２と確立している無線通信を切断させる。そして、再度、アクセスポイント１２に無線通信の接続要求を行う。これにより、アクセスポイント１２は再接続の際、既にＳ３０５において無線通信ユニット１０のアクセスポイント機能によって使用されているｃｈと異なる空きｃｈ、すなわち無線通信が妨害波の影響を受けない空きｃｈを検索する。そのｃｈを無線通信ユニット１０に通知することにより、無線通信ユニット１０とアクセスポイント１２の無線通信を妨害波の影響を受けないように確立させることができる。通信が確立した後、無線通信ユニット１０のアクセスポイント機能を終了させ、Ｓ３０７に進む。
【００３７】
Ｓ３０７において、ＣＰＵ９は、無線通信ユニット１０とアクセスポイント１２を介して、コントロールＰＣ１１との通信を開始させる。
【００３８】
本実施例では、ＣＰＵ９は、無線通信ユニット１０のアクセスポイント機能を入力映像信号に起因して発生する妨害波を含むｃｈで有効にすることで、外部のアクセスポイント１２に該ｃｈを選択させないようにすることができる。これにより、プロジェクタ１の無線通信ユニット１０はアクセスポイント１２と良好な通信を行うことができる。
【実施例２】
【００３９】
次に、図４を用いて、本発明の実施例２であるプロジェクタ１００について説明する。本実施例のプロジェクタ１００の構成は、無線通信ユニット１０を内蔵している等、基本的に実施例１のプロジェクタ１の構成と同じであり、実施例１と共通する構成要素には実施例１と同符号を付し、適宜説明を省略する。
【００４０】
本実施例では、映像出力装置２００の画像出力ＩＣ３００は、複数のＤＶＩケーブル４ａ、４ｂ、４ｃ、４ｄを介してドットクロックが互いに同じ又は４つの入力のうち１以上の異なる複数の映像信号をプロジェクタに同時伝送することが可能である。プロジェクタの入力制御ＩＣ５００は、ＤＶＩケーブル４ａ、４ｂ、４ｃ、４ｄが接続された複数の入力コネクタ６ａ、６ｂ、６ｃ、６ｄを介して上記複数の映像信号の同時入力を受けることができ、これら映像信号を画像処理ＩＣ７に送ることができる。また、画像出力ＩＣ３００、入力制御ＩＣ５００は、複数のＩＣで構成されていてもよい。
【００４１】
記録部８には、実施例１と同様に、様々な映像信号の解像度に対応するドットクロック周波数のデータが記録されているとともに、映像信号の入力数と放射される電波の強度との関係を示すデータが記録されている。
【００４２】
ＣＰＵ９は、入力制御ＩＣ５００に入力された映像信号の特性（解像度、水平同期信号周波数、垂直同期信号周波数およびビット深度）と該映像信号の入力数とを検出することができる。またＣＰＵ９は、記録部８に記録されたデータから映像信号の特性に対応するドットクロック周波数のデータを読み出すとともに、入力数に対するプロジェクタ１００内（映像処理装置内）で放射される電波強度（累積値）のデータを読み出す。
【００４３】
次に、本実施例においてＣＰＵ９が行うｃｈ変更処理の概要について説明する。プロジェクタ１００に対して映像出力装置２００からＤＶＩケーブル４ａ〜４ｄを介して高速のドットクロック信号を含む複数の映像信号が伝送される。これらの映像信号が、例えば１９２０×１０８０画素の解像度を有する場合は、実施例１で説明したように、その基本のドットクロック周波数は７４．２５ＭＨｚである。実施例１（図２）と同様に、無線通信ユニット１０は、無線通信の全通信可能帯域として２４０１ＭＨｚ（２．４０１ＧＨｚ）から２４９５ＭＨｚ（２．４９５ＧＨｚ）までを使用する。そして、全帯域の中に、それぞれ２２ＭＨｚ帯域を有する複数のチャネルである１ｃｈから１４ｃｈを設けている。
【００４４】
さらに実施例１でも説明したように、ドットクロック周波数７４．２５ＭＨｚの逓倍波の１つである３３倍波の周波数は２４５０ＭＨｚ（２．４５ＧＨｚ）であり、この周波数は９ｃｈ（２４４１〜２４６３ＭＨｚ）の中心付近に重なる。また、各ｃｈの帯域は、例えば１ｃｈでは２４１０〜２４２３ＭＨｚ、２ｃｈでは２０４６〜２４２８ＭＨｚというように、隣り合うｃｈの帯域同士が部分的に重複している。このため、３３倍波の２４５０ＭＨｚに重なるｃｈには、９ｃｈ以外に、８ｃｈ（２４３６〜２４５８ＭＨｚ）、７ｃｈ（２４３１〜２４５３ＭＨｚ）、１０ｃｈ（２４４６〜２４７３ＭＨｚ）がある。これら７〜１０ｃｈ（第１の通信周波数帯域）は、３３倍波である妨害波の影響を受ける。
【００４５】
また、複数の映像信号が入力されている場合には、同じ特性（つまりは同じドットクロック周波数）の映像信号の入力数が多くなるほど妨害波の強度が増加する。
【００４６】
このため本実施例では、ＣＰＵ９は、映像信号の入力数とそれぞれの入力映像信号のドットクロック信号の逓倍波の周波数の情報を取得する。そして、妨害波の数に応じた妨害波の強度が所定数以上であれば、実施例１と同様に、無線通信ユニット１０のアクセスポイント機能により逓倍波（妨害波）を含むｃｈによる無線通信を行うようにし、電波を放出させる。さらに、無線通信ユニット１０にアクセスポイント１２との接続を一旦切断させ、再度アクセスポイント１２へ接続要求を行わせる。これにより、再度接続する際、アクセスポイント１２に無線通信ユニット１０から放出されている周波数帯域を含むｃｈを除いたｃｈを選択させることが可能となり、妨害波である上記逓倍波の影響を受けない無線通信を行うことができる。
【００４７】
具体的には、ＣＰＵ９は、入力映像信号の解像度が１９２０×１０８０でドットクロック周波数が７４．２５ＭＨｚであり、入力数が２以上である場合に、使用ｃｈとして１〜６ｃｈおよび１１〜１４ｃｈのうち１つのｃｈ（第２の通信周波数帯域）を設定する。
【００４８】
図５のフローチャートを用いて、ＣＰＵ９によるｃｈ変更処理の具体的な流れについて説明する。ＣＰＵ９はこのｃｈ変更処理を、コンピュータプログラムとしての処理プログラムに従って実行する。実施例１と共通するステップには実施例１と同符号を付し、適宜説明を省略する。
【００４９】
Ｓ５０１において、ＣＰＵ９は、映像出力装置２００から入力される映像信号の特性や入力される映像信号の数が変化したか否かを確認する。特性や数が変化した場合Ｓ５０２に進む。特性や数が変化していない場合、引き続きＳ５０１において、入力される映像信号の特性や数が変化したか否かを確認する。本実施例においても、実施例１と同様に映像信号の入力が無い無信号の状態から映像信号が入力された状態に変化した際にも、特性が変化したと判別する。
【００５０】
Ｓ５０２において、ＣＰＵ９は、入力制御ＩＣ５００に入力される全ての映像信号の上記特性と入力数を検出する。そして、記録部８に記録された複数の映像信号の特性に対応するドットクロック周波数のうち検出した全映像信号の特性に対応するドットクロック周波数を該記録部８から取得する。なお、実施例１と同様に、ＣＰＵ９は、ドットクロック周波数を入力制御ＩＣ５００から直接取得してもよい。また、ドットクロック周波数を、解像度、水平同期信号周波数、垂直同期信号周波数、およびビット深度などから取得してもよい。
【００５１】
次にＳ５０３において、ＣＰＵ９は、取得した全てのドットクロック周波数のそれぞれから妨害周波数を算出し、これらの妨害周波数が上記１〜１４ｃｈのいずれかに含まれるか否かを判定する。言い換えれば、入力映像信号のドットクロック周波数に応じた妨害波が無線通信を妨害する可能性のある被妨害ｃｈを特定する。ＣＰＵ９は、被妨害ｃｈがない場合はＳ３０７に進み、被妨害ｃｈがある場合はＳ５０４に進む。
【００５２】
Ｓ５０４において、ＣＰＵ９は、Ｓ５０３で検出した映像信号の入力数が通信を妨害する強度の妨害波を発生させる数（閾値）以上であるか否かを判定する。例えば、解像度１９２０×１０８０画素の映像信号が２以上入力されていれば、通信が妨害される（被妨害ｃｈ候補が被妨害ｃｈとなる）としてＳ３０５に進み、該映像信号が１つのみ入力されていればＳ３０７に進む。
【００５３】
本実施例でも、ＣＰＵ９は、無線通信ユニット１０のアクセスポイント機能を入力映像信号に起因して発生する妨害波を含むｃｈで有効にすることで、外部のアクセスポイント１２に該ｃｈを選択させないようにすることができる。これにより、プロジェクタ１の無線通信ユニット１０はアクセスポイント１２と良好な通信を行うことができる。
【００５４】
上記各実施例では、映像信号のドットクロック信号の逓倍波が妨害波となる場合について説明したが、ドットクロック信号以外のクロック信号や同期信号の逓倍波が妨害波となる場合にも、各実施例と同様のｃｈ設定処理を行うことができる。
【００５５】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００５６】
以上説明した各実施例は代表的な例にすぎず、本発明の実施に際しては、各実施例に対して種々の変形や変更が可能である。
【符号の説明】
【００５７】
１、１００  プロジェクタ
５、５００  入力制御ＩＣ
９  ＣＰＵ
【図１】
2019153825.tif 000003
【図２】
2019153825.tif 000004
【図３】
2019153825.tif 000005
【図４】
2019153825.tif 000006
【図５】
2019153825.tif 000007